(57)【要約】      （修正有）【課題】支線のより高い位置に容易、安全かつ低コストで取り付けることができ、植物や小動物が登はんするのを効果的に防ぐことができる、植物および小動物の登はん防止具を提供する。【解決手段】支線１に沿って取り付けられる筒体１１と複数の標識部材１２とを有する。筒体１１は、支線１を挿入して密着可能な挿入孔２１ｂを有する取付部２１と、取付部２１の周囲に、支線１を覆って筒状に伸びるよう設けられたカバー部２２と、取付部２１より下方に設けられた接合受け部２３とを有している。カバー部２２は、外径が２３０ｍｍ以上の部分の長さが７００ｍｍ以上となるよう構成されている。各標識部材１２は、支線１に沿って互いに着脱可能に設けられ、最上位の標識部材１２の上端に、接合受け部２３に着脱可能な接合部２５を有している。【選択図】図３
0003179852.tif 000002
【実用新案登録請求の範囲】
【請求項１】
電柱の支線に沿って植物や小動物が登はんするのを防止する、植物および小動物の登はん防止具であって、
前記支線に沿って取り付けられる筒体を有し、
前記筒体は、前記支線を挿入して密着可能な挿入孔を有する取付部と、前記取付部の周囲に、前記支線を覆って筒状に伸びるよう設けられたカバー部と、前記取付部より下方に設けられた接合受け部とを有し、
各標識部材は、前記支線に沿って互いに着脱可能に設けられ、最上位の標識部材の上端に、前記接合受け部に着脱可能な接合部を有することを
特徴とする植物および小動物の登はん防止具。
【請求項２】
前記カバー部は、外径２３０ｍｍ以上の部分を長さ７００ｍｍ以上有することを
特徴とする請求項１記載の植物および小動物の登はん防止具。
【請求項３】
前記筒体は、前記挿入孔から前記取付部の周縁まで伸びる内側切込と、前記カバー部の長さ方向に沿って一端から他端まで伸びて、前記内側切込に連続可能な外側切込とを有し、前記内側切込と前記外側切込とを開いて前記支線に着脱可能に構成されていることを特徴とする請求項１または２記載の植物および小動物の登はん防止具。
【請求項４】
前記取付部は、内部が前記挿入孔を成す筒状のシール部を有しており、
前記内側切込を閉じた状態で保持するよう、前記シール部の外周に沿って前記シール部を締付可能に設けられた拘束部材と、
前記カバー部の前記外側切込を閉じるためのストッパとを、
有することを特徴とする請求項３記載の植物および小動物の登はん防止具。
【考案の詳細な説明】
【技術分野】
【０００１】
本考案は、植物および小動物の登はん防止具に関する。
【背景技術】
【０００２】
従来、電柱の支線に、シダ類やつる性の植物が巻き上がったり、蛇等の小動物が登はんしたりするのを防止するものとして、筒状の蔓植物巻き付き防止具の周囲に、外側に向かって径を拡大するように設けられた筒状の本体部や傘状の鍔部を有するものがある（例えば、特許文献１または２参照）。
【先行技術文献】
【特許文献】
【０００３】
【特許文献１】特開２０１１−１７７１０２号公報
【特許文献２】特許第４０８６８８１号公報
【考案の概要】
【考案が解決しようとする課題】
【０００４】
つる性の植物は、木などをつたって登り、登った位置から上および横に向かって１．５ｍ程度まで伸びることができる。このため、支線に隣接する木などの高い位置から、つる性植物が支線に絡みつくことがある。特許文献１および２に記載の蔓植物巻上防止具は、一旦取り付けると、支線に沿って移動させることができないため、手が届く範囲で支線に取り付けると、支線の取付位置より高い位置につる性植物が絡みつくことがあり、そのつる性植物やそれを伝う小動物などが支線を登はんして、短絡事故などの原因になるという課題があった。また、これを防ぐために高い場所に取り付ける場合、クレーン等の高所作業車が必要となるが、高所作業車の使用には作業車や操縦者の確保にコストがかかるという課題があった。また、高所作業車が入り込めない場所では、はしごを使用する必要があるが、はしごでの作業には危険が伴い、はしごの運搬にも作業コストがかかるという課題があった。
【０００５】
本考案は、このような課題に着目してなされたもので、支線のより高い位置に容易、安全かつ低コストで取り付けることができ、植物や小動物が登はんするのを効果的に防ぐことができる、植物および小動物の登はん防止具を提供することを目的とする。
【課題を解決するための手段】
【０００６】
上記目的を達成するために、本考案に係る植物および小動物の登はん防止具は、電柱の支線に沿って植物や小動物が登はんするのを防止する、植物および小動物の登はん防止具であって、前記支線に沿って取り付けられる筒体を有し、前記筒体は、前記支線を挿入して密着可能な挿入孔を有する取付部と、前記取付部の周囲に、前記支線を覆って筒状に伸びるよう設けられたカバー部と、前記取付部より下方に設けられた接合受け部とを有し、各標識部材は、前記支線に沿って互いに着脱可能に設けられ、最上位の標識部材の上端に、前記接合受け部に着脱可能な接合部を有することを特徴とする。
【０００７】
本考案に係る植物および小動物の登はん防止具は、以下のようにして支線に取り付けて使用される。まず、カバー部が支線を覆って筒状に伸びるよう、取付部の挿入孔に支線を挿入して、筒体を支線に取り付ける。次に、筒体の接合受け部に接合部を連結させて、接合部を有する標識部材を支線の筒体より下方に取り付ける。支線に取り付けた標識部材で、筒体を上方に押し上げるようにして支線に沿って移動させながら、複数の標識部材を次々に連結させていく。これにより、高所作業車などを使用することなく、手元の作業のみで、筒体を支線のより高い位置に容易、安全かつ低コストで取り付けることができる。また、手元の標識部材を上下動させることにより、筒体の位置を調節することができる。
【０００８】
本考案に係る植物および小動物の登はん防止具は、筒体の取付部が支線に密着して取り付けられるため、支線や標識部材を伝って取付部の位置まで登はんしたつる性植物や小動物などが、支線と取付部との隙間を通るのを防ぐことができる。また、筒体の開口を下方に向けて取り付けることにより、取付部まで登はんしたつる性植物が筒体の内側で団子状になり、そこでつる性植物を腐らせることができる。また、筒体を１箇所の取付部で支線に取り付けることにより、風などで筒体を揺らして、筒体に絡みついたつる性植物などを振り落とすことができる。このように、本考案に係る植物および小動物の登はん防止具は、植物や小動物が登はんするのを効果的に防ぐことができる。
【０００９】
本考案に係る植物および小動物の登はん防止具は、筒体の接合受け部に標識部材の接合部を連結させているため、互いに連結された標識部材を次々に引っ張り降ろして取り外すことにより、筒体を支線に沿って手元まで降ろすことができる。これにより、筒体の修理やメンテナンス、交換などを容易、安全かつ低コストで行うことができる。
【００１０】
本考案に係る植物および小動物の登はん防止具で、筒体はプラスチック製であっても、軽くて安価で再生可能なアルミニウム製であってもよい。また、筒体は、つる性植物や小動物が登はんしにくくなるよう、滑りやすいツルツルの表面を有していてもよく、弾性があり軟らかい素材で形成されていてもよい。筒体は、円錐型であっても、円筒型であっても、開口を上方に向けた逆円錐型であってもよい。円錐型や円筒型のとき、側面に縦溝を付けることにより、溝を流れる雨とともに筒体に巻き付いたつる性植物を流し落とすことができる。また、逆円錐型のときには、筒体に絡んだつる性植物が自重で落ちやすく、登はん防止に効果的である。
【００１１】
本考案に係る植物および小動物の登はん防止具は、筒体の開口を下方に向けて取り付け、筒体の内側の支線や標識部材に、グリースを塗っていてもよい。この場合、つる性植物や小動物などがグリースで滑り、登はんしにくくすることができる。また、グリースに触れたつる性植物の先端を腐らせることができる。筒体により、グリースが雨で流れ落ちるのを防ぐことができ、グリースによる登はん防止効果を持続させることができる。
【００１２】
本考案について、本発明者は、外径が２３０ｍｍ以上の部分の長さが７００ｍｍ以上ある場合には、つる性植物は登はんできないことを見出した。このことから、本考案に係る植物および小動物の登はん防止具で、前記カバー部は、外径２３０ｍｍ以上の部分を長さ７００ｍｍ以上有することが好ましい。この場合、つる性植物が巻き付きにくく、たとえ巻き付いても緩く巻き付くため、自重や風、筒体の揺れでこれを落とすことができる。また、つる性植物のつるが立ち上がる高さは７００ｍｍ程度であるため、外径が２３０ｍｍ以上の部分を越えて筒体の上方まで伸びることはできず、登はんを完全に防ぐことができる。
【００１３】
本考案に係る植物および小動物の登はん防止具で、前記筒体は、前記挿入孔から前記取付部の周縁まで伸びる内側切込と、前記カバー部の長さ方向に沿って一端から他端まで伸びて、前記内側切込に連続可能な外側切込とを有し、前記内側切込と前記外側切込とを開いて前記支線に着脱可能に構成されていることが好ましい。この場合、筒体を支線に取り付けやすく、支線から取り外しやすい。
【００１４】
また、この場合、前記取付部は、内部が前記挿入孔を成す筒状のシール部を有しており、前記内側切込を閉じた状態で保持するよう、前記シール部の外周に沿って前記シール部を締付可能に設けられた拘束部材と、前記カバー部の前記外側切込を閉じるためのストッパとを、有していることが好ましい。この場合、拘束部材でシール部を締め付けることにより、シール部と支線との密着性を高めることができる。また、拘束部材やストッパにより内側切込や外側切込を閉じることにより、内側切込や外側切込が開いて、その隙間からつる性植物や小動物が登はんするのを防ぐことができる。
【考案の効果】
【００１５】
本考案によれば、支線のより高い位置に容易、安全かつ低コストで取り付けることができ、植物や小動物が登はんするのを効果的に防ぐことができる、植物および小動物の登はん防止具を提供することができる。
【図面の簡単な説明】
【００１６】
【図１】本考案の実施の形態の植物および小動物の登はん防止具の使用状態を示す側面図である。
【図２】図１に示す植物および小動物の登はん防止具の斜視図である。
【図３】図１に示す植物および小動物の登はん防止具の縦断面図である。
【考案を実施するための形態】
【００１７】
以下、図面に基づき本考案の実施の形態について説明する。
図１乃至図３は、本考案の実施の形態の植物および小動物の登はん防止具を示している。
図１乃至図３に示すように、植物および小動物の登はん防止具１０は、電柱の支線１に沿って植物や小動物が登はんするのを防止するものであって、支線１に沿って取り付けられる筒体１１と複数の標識部材１２とを有している。
【００１８】
図１乃至図３に示すように、筒体１１は、取付部２１とカバー部２２と接合受け部２３と拘束部材２４とストッパ（図示せず）とを有している。取付部２１は、筒状のシール部２１ａを有しており、シール部２１ａの内部を通って貫通した挿入孔２１ｂを有している。挿入孔２１ｂは、支線１を挿入して密着可能に構成されている。取付部２１は、挿入孔２１ｂから周縁まで伸びる内側切込２１ｃを有し、内側切込２１ｃを開いて支線１に着脱可能に構成されている。
【００１９】
カバー部２２は、円筒状の側面２２ａと、側面２２ａの一端を塞ぐよう設けられた上方端面２２ｂとを有している。カバー部２２は、シール部２１ａが外側に向かって突出するよう、上方端面２２ｂの中央を貫通して取付部２１が取り付けられている。カバー部２２は、側面２２ａの外径が２３０ｍｍ、長さが７００ｍｍである。図２に示すように、カバー部２２は、側面２２ａの長さ方向に沿って一端から他端まで伸びて、さらに上方端面２２ｂを取付部２１の内側切込２１ｃに連続するよう伸びた外側切込２２ｃを有している。これにより、筒体１１は、内側切込２１ｃと外側切込２２ｃとを開いて支線１に着脱可能に構成されている。また、このとき、カバー部２２は、支線１を覆って筒状に伸びるようになっている。
【００２０】
図３に示すように、接合受け部２３は、フック状を成し、カバー部２２の内側の取付部２１の下面に取り付けられている。接合受け部２３は、カバー部２２の開口２２ｄを下に向けて支線１に取り付けたとき、取付部２１より下方に配置されるようになっている。図２および図３に示すように、拘束部材２４は、リング状を成し、内側切込２１ｃを塞いだ状態に保持するよう、シール部２１ａの外周に沿ってシール部２１ａを締付可能に構成されている。また、ストッパは、カバー部２２の内側から外側切込２２ｃを閉じるよう構成されている。
【００２１】
図１に示すように、複数の標識部材１２は、細長く、支線１に沿って取付可能に設けられている。各標識部材１２は、長さ方向に沿って一端から他端まで連続して伸びた側部切込１２ａを有し、側部切込１２ａを開いて支線１に着脱可能に構成されている。図３に示すように、標識部材１２のうち最上位の標識部材１２は、上端に、接合受け部２３に着脱可能な鉤状の接合部２５を有している。また、各標識部材１２は、上端および下端に、互いに着脱可能に構成されたフック状の連結受け部２６ａまたは鉤状の連結部２６ｂを有し、支線１に沿って互いに着脱可能になっている。接合受け部２３と接合部２５、連結受け部２６ａと連結部２６ｂは、フックによる連結のほか、凹凸による連結、ねじによる連結、磁石による連結など、自由に着脱可能であれば、他の連結構造から成っていてもよい。
【００２２】
次に、作用について説明する。
植物および小動物の登はん防止具１０は、以下のようにして支線１に取り付けて使用される。すなわち、まず、カバー部２２が支線１を覆って筒状に伸びるよう、内側切込２１ｃと外側切込２２ｃとを開いて取付部２１の挿入孔２１ｂに支線１を挿入し、筒体１１を支線１に取り付ける。このとき、カバー部２２の開口２２ｄを下に向けて支線１に取り付ける。支線１に取り付けたならば、拘束部材２４でシール部２１ａを締め付けて内側切込２１ｃを閉じるとともに、ストッパで外側切込２２ｃを閉じる。このとき、拘束部材２４により、シール部２１ａと支線１との密着性を高め、取付部２１を支線１に密着して取り付けることができる。なお、筒体１１は、支線１に沿って平行に取り付けられていてもよく、開口２２ｄの位置で支線１に接するまで支線１に対して傾斜して取り付けられていてもよい。
【００２３】
次に、側部切込１２ａを開いて、接合部２５を有する標識部材１２を支線１の筒体１１より下方に取り付け、筒体１１の接合受け部２３に接合部２５を連結させる。支線１に取り付けた標識部材１２で、筒体１１を上方に押し上げるようにして支線１に沿って移動させながら、連結受け部２６ａと連結部２６ｂとを連結させながら、複数の標識部材１２を次々に連結させていく。これにより、高所作業車などを使用することなく、手元の作業のみで、筒体１１を支線１のより高い位置に容易、安全かつ低コストで取り付けることができる。また、手元の標識部材１２を上下動させることにより、筒体１１の位置を調節することができる。
なお、地表側に最も近い標識部材１２は、地表から１００ｍｍ以上離すことが好ましい。シダ類は、伝わらずに１００ｍｍ以上伸びることができず、また、支線１のように外径１０ｍｍ以下のものには登はんできないため、標識部材１２を地表から１００ｍｍ以上離すことにより、シダ類の登はんを防ぐことができる。
【００２４】
植物および小動物の登はん防止具１０は、筒体１１の取付部２１が支線１に密着して取り付けられるため、支線１や標識部材１２を伝って取付部２１の位置まで登はんしたつる性植物や小動物などが、支線１と取付部２１との隙間を通るのを防ぐことができる。また、拘束部材２４やストッパにより内側切込２１ｃや外側切込２２ｃを閉じるため、内側切込２１ｃや外側切込２２ｃが開いて、その隙間からつる性植物や小動物が登はんするのを防ぐことができる。また、取付部２１まで登はんしたつる性植物が筒体１１の内側で団子状になり、そこでつる性植物を腐らせることができる。また、筒体１１を１箇所の取付部２１で支線１に取り付けるため、風などで筒体１１を揺らして、筒体１１に絡みついたつる性植物などを振り落とすことができる。なお、拘束部材２４を用いずに、内側切込２１ｃを閉じた状態で保持し、挿入孔２１ｂが支線１に密着するようにしてもよい。
【００２５】
植物および小動物の登はん防止具１０は、カバー部２２の側面２２ａの外径が２３０ｍｍ、長さが７００ｍｍであるため、つる性植物が巻き付きにくく、たとえ巻き付いても緩いため、自重や風、筒体１１の揺れでこれを落とすことができる。また、つる性植物のつるが立ち上がる高さは７００ｍｍ程度であるため、カバー部２２の側面２２ａを越えて筒体１１の上方まで伸びることはできず、登はんを完全に防ぐことができる。このように、植物および小動物の登はん防止具１０は、植物や小動物が登はんするのを効果的に防ぐことができる。
【００２６】
植物および小動物の登はん防止具１０は、筒体１１の接合受け部２３に標識部材１２の接合部２５を連結させているため、互いに連結された標識部材１２を次々に引っ張り降ろして取り外すことにより、筒体１１を支線１に沿って手元まで降ろすことができる。これにより、筒体１１の修理やメンテナンス、交換などを容易、安全かつ低コストで行うことができる。
【００２７】
なお、植物および小動物の登はん防止具１０は、筒体１１の内側の支線１や標識部材１２に、グリースを塗っていてもよい。この場合、つる性植物や小動物などがグリースで滑り、登はんしにくくすることができる。また、グリースに触れたつる性植物の先端を腐らせることができる。筒体１１により、グリースが雨で流れ落ちるのを防ぐことができ、グリースによる登はん防止効果を持続させることができる。
なお、植物および小動物の登はん防止具１０は、電柱の支線１以外のものにも取り付けることができる。
【符号の説明】
【００２８】
１  支線
１０  植物および小動物の登はん防止具
１１  筒体
２１  取付部
２１ａ  シール部
２１ｂ  挿入孔
２１ｃ  内側切込
２２  カバー部
２２ａ  側面
２２ｂ  上方端面
２２ｃ  外側切込
２２ｄ  開口
２３  接合受け部
２４  拘束部材
１２  標識部材
１２ａ  側部切込
２５  接合部
２６ａ  連結受け部
２６ｂ  連結部
【図１】
0003179852.tif 000003
【図２】
0003179852.tif 000004
【図３】
0003179852.tif 000005